(57)【特許請求の範囲】
【請求項１】
被取付面に直線状に配列される器具本体同士を連結しアース接続を得るための照明器具の連結金具において、
隣合う前記器具本体の端部天面部に当接してこれら端部天面部に跨って配置される連結金具主部と、
当該連結金具主部の両端両側に下方に向けて折り曲げられ前記器具本体端部に形成された取付孔に挿入される固定部と、
前記連結金具主部の両端に形成された固定部の間で当該連結金具主部の両側から下方に向けて折り曲げられるとともに、前記固定部に近付く程前記連結金具主部の下面から遠ざかるように斜めに傾斜した案内傾斜縁を有して正面から見た形状が末広がり状を呈した連結部とを備え、
前記連結部両端根元部に、前記器具本体の天面部の端縁が係合する係合凹部を前記案内傾斜縁に連続して設け、
前記取付孔に挿入された前記固定部を前記取付孔の前記連結部側孔縁に接触させて前記固定部と連結部との間に器具本体の端部を挟み込んで、この端部を前記固定部と連結部との間に圧入することで隣合う前記器具本体同士を連結することを特徴とする照明器具の連結金具。
【請求項２】
天面部を有し、この天面部の端部に一対の取付孔が穿設された器具本体を備えて、被取付面に直線状に配列される複数の照明器具と；
隣合った前記照明器具具の器具本体同士を連結する請求項１に記載の連結金具と；
を具備することを特徴とする照明装置。
【発明の詳細な説明】
【０００１】
【発明の属する技術分野】
本発明は、例えば複数の照明器具を連結し、照明器具の直線性とアース接続を得る照明器具の連結金具、及びこの連結金具を備えた照明装置に関する。
【０００２】
【従来の技術】
従来、照明器具同士を連結する連結金具は、図７および図８に示すものが一般に知られている。図７は第１の従来技術を、図８は第２の従来技術を示すもので、この連結金具は、天井などの被取付面に直線状に配列される器具本体同士を連結するものである。
【０００３】
第１の従来技術に係る連結金具１は、図７に示すように、隣合う器具本体５端部の天面部６に当接する連結金具主部２と、当該連結金具主部２の両側から下方に向けて折曲げられ当該器具本体の側面部７，７に当接する一対の案内片３，３とを備え、前記連結金具主部２の両端両側に上方に向けて絞られ、この孔内にねじが切られたねじ孔４を有している。
【０００４】
前記器具本体の端部天面部６両側には、連結金具１に設けられたねじ孔４，４に対向して当該連結金具のねじ孔に螺着されるねじ１０が挿入される取付孔８，８がそれぞれ穿設されている。
【０００５】
第１の従来技術に係る連結金具を使用して、隣合う器具本体同士を連結する方法を説明する。
【０００６】
予め、図示しない天井面に器具本体同士を隣合わせて取付ねじ（図示せず）で天井面に直線状に仮り止めする。
【０００７】
それから、断面略コ字状の連結金具１を器具本体の天面部６上に載置したのち、一方側の連結金具のねじ孔４，４を器具本体端部に設けた取付孔８，８に合せしたのち、器具本体５の下方からねじ１０を器具本体の取付孔８に挿入し、当該ねじ１０をドライバー１５などの工具を使用して、連結金具のねじ孔４に螺着し、当該ねじ１０を締付けることにより、連結金具１を一方側の器具本体５に固定する。
【０００８】
他方側の器具本体５も同様にして、ねじ１０により器具本体に連結金具１を螺着・固定し、隣合う器具本体同士を連結する。
【０００９】
最後に、仮り止めされていた取付ねじ（図示せず）を締付けることにより、器具本体５，５を確実に天井面に固定する。
【００１０】
第１の従来技術に係る連結金具は、当該連結金具のねじ孔４に器具本体の下方から取付けたねじ１０を螺着・固定するもので、器具本体同士を連結金具で連結する際、ねじ止め作業を必要とするものである。
【００１１】
第２の従来技術に係る連結金具２０は、図８に示すように、ポリエチレンやポリプロピレン等の合成樹脂からなる合成樹脂製で、隣合う器具本体端部の天面部に当接する長方形をした連結金具主部２と、この連結金具主部の４隅には円柱状をした嵌合凸部２１が下方に向けてそれぞれ突出形成されている。
【００１２】
連結金具２０が取付けられる器具本体５は、第１の従来技術と同様に、幅方向の断面形状が略コ字状をなし、天面部６と当該天面部の両側から下方に向けて折曲げられた一対の側面部７，７とから構成している。
【００１３】
さらに、器具本体の天面部６端部両側には、連結金具の嵌合凸部２１が嵌入する一対の円形状をした連結用孔９，９がそれぞれ設けられている。なお、嵌合凸部２１は連結用孔９に嵌合する形状となっている。
【００１４】
第２の従来技術に係る連結金具を使用して、隣合う器具本体同士を連結する方法を説明する。
【００１５】
一方側の器具本体５の天面部６の両端両側に穿設された連結用孔９，９に連結金具の嵌合凸部２１，２１を天井面側から圧入装着し、この器具本体を天井面にボルトとナットまたは木ねじ（いずれも図示せず）で締付け固定する。
【００１６】
つぎに、上記と同様にして、他方側の器具本体を上方に持上げて連結金具の他方側の嵌合凸部２１，２１に器具本体に形成した連結用孔９，９を圧入・連結し、この器具本体５を天井面にボルトとナットまたは木ねじ（いずれも図示せず）で締付け固定する。
【００１７】
第２の従来技術に係る連結金具２０は、当該連結金具の嵌合凸部２１を器具本体に形成した連結用孔９に嵌め込むものである。
【００１８】
【発明が解決しようとする課題】
上記のように従来の照明器具に係る第１の連結金具は、器具本体の端部に取付けられ器具本体の下方から取付けられるねじを当該連結金具に螺着することにより、器具本体を連結するものであることから、施工時にねじ止め作業が必要であるという問題があった。
【００１９】
第２の連結金具は、器具本体に嵌め込むだけで器具本体同士を連結するものであるが、モールド製の連結金具であることから、アース接続がないという問題があった。
【００２０】
本発明は上記の点に鑑みてなされたもので、施工時に、工具を必要とせず、また、連結される照明器具同士のアース接続及び直線性を確保できて、省施工な連結金具及び照明装置を提供することを課題とする。
【００２１】
【課題を解決するための手段】
前記課題を達成するために、請求項１に係る発明の照明器具の連結金具は、被取付面に直線状に配列される器具本体同士を連結しアース接続を得るための照明器具の連結金具において、隣合う前記器具本体の端部天面部に当接してこれら端部天面部に跨って配置される連結金具主部と、当該連結金具主部の両端両側に下方に向けて折り曲げられ前記器具本体端部に形成された取付孔に挿入される固定部と、前記連結金具主部の両端に形成された固定部の間で当該連結金具主部の両側から下方に向けて折り曲げられるとともに、前記固定部に近付く程前記連結金具主部の下面から遠ざかるように斜めに傾斜した案内傾斜縁を有して正面から見た形状が末広がり状を呈した連結部とを備え、前記連結部両端根元部に、前記器具本体の天面部の端縁が係合する係合凹部を前記案内傾斜縁に連続して設け、前記取付孔に挿入された前記固定部を前記取付孔の前記連結部側孔縁に接触させて前記固定部と連結部との間に器具本体の端部を挟み込んで、この端部を前記固定部と連結部との間に圧入することで隣合う前記器具本体同士を連結することを特徴とするものである。
【００２２】
請求項２に係る発明の照明装置は、天面部を有し、この天面部の端部に一対の取付孔が穿設された器具本体を備えて、被取付面に直線状に配列される複数の照明器具と；隣合った前記照明器具具の器具本体同士を連結する請求項１に記載の連結金具と；を具備することを特徴とするものである。
【００２４】
上記請求項１の発明では、連結金具の両端に設けられた固定部を器具本体に設けた取付孔に挿入し、この取付孔に挿入された固定部を取付孔の連結部側孔縁に接触させて固定部と連結部との間に器具本体の端部を挟み込んで、この端部を連結金具の連結部と固定部との間に圧入することにより、器具本体同士を連結するから、連結された器具本体同士のアース接続を有するとともに、連結された器具本体同士に直線性を持たせることができる。
【００２５】
更に、請求項１の発明では、連結金具主部の両側から下方に向けて折り曲げられた連結部が、固定部に近付く程連結金具主部の下面から遠ざかるように斜めに傾斜した案内傾斜縁を有して側方から見た形状が末広がり状を呈しているので、照明器具への連結金具の取付性が良いとともに、取り外れ難くできる。
【００２６】
しかも、請求項１の発明では、連結部両端根元部に、器具本体の天面部の端縁が係合する係合凹部を案内傾斜縁に連続して設けたので、挿入時に節度感を出すとともに、取付後、取り外れ難くできる。
【００２７】
【発明の実施の形態】
以下、図１〜図６を参照して本発明の実施の形態に係る照明器具の連結金具を説明する。なお、従来技術と同一構成部品は同一番号を付して説明する。
【００２８】
この照明器具の連結金具は、図６に示すように、天井などの被取付面に直線状に配列される例えば逆富士形をした照明器具同士を連結するものである。
【００２９】
照明器具は、器具本体５と当該器具本体の下方を覆って取付けられる逆富士形をした反射体１１と、前記器具本体の両端に対向して取付けられ前記反射板から下方に向けて突出する一対のランプソケット１２，１２と、これらランプソケット間に着脱自在に取付けられる直管形蛍光ランプ１３とから構成している。
【００３０】
前記器具本体５は、図２に示すように、従来技術と同様に、天面部６と当該天面部の両側から下方に向けて折り曲げられた一対の側面部７，７とから構成されるとともに、前記天面部の端部両側には略楕円形をなしピッチＰを有する一対の取付孔２４，２４がそれぞれ穿設されている。
【００３１】
隣合う器具本体５，５同士を連結する本発明に係る連結金具２５は、図１に示すように、金属板材などの導電材から製造されるとともに、隣合う器具本体の端部天面部に当接する連結金具主部２と、当該連結金具主部の両端両側に下方に向けて折り曲げられ前記器具本体端部に形成した取付孔２４に挿入する４隅に設けられた固定部２６と、前記連結金具主部の両端に形成された固定部２６，２６の間で当該連結金具主部の両側から下方に向けて折り曲げられた一対の連結部２７，２７とを備え、前記連結部２７，２７間の内幅は、前記固定部２６，２６間の内幅より少し狭く形成されている。なお、固定部２６，２６の幅方向のピッチは器具本体に穿設された一対の取付孔２４，２４のピッチＰと同一寸法から形成している。また、連結金具の固定部２６は、器具本体の取付孔２４に挿入可能なように当該取付孔２４より少し小さく形成されている。
【００３２】
更に、前記連結金具の連結部２７の両端は、外方に向けて斜め傾斜した案内傾斜縁２８，２８を有するとともに、当該連結部２７両端根元部には、器具本体の天面部の端縁が係合する係合凹部２９，２９がそれぞれ形成されている。
【００３３】
本発明に係る連結金具を使用して、隣合う器具本体同士を連結する方法を図３〜図５を参照して説明する。
【００３４】
連結金具２５を、図３に示すように、斜めにし当該連結金具の固定部２６の下方端を器具本体の天面部６上面側に当接させる。
【００３５】
それから、連結金具２５を水平に左方向（ａ矢印方向）に移動すると、連結金具の連結部端部が外方に向けて斜め傾斜した案内傾斜縁２８を有していることから、連結金具２５をａ矢印方向にスムーズに移動することができる。
【００３６】
さらに、連結金具２５をａ矢印方向に移動すると、器具本体の天面部端縁が連結金具の連結部根元部に形成された係合凹部２９に挿入されていく。
【００３７】
この際、連結金具２５は、器具本体の天面部端縁と接する係合凹部２９とを支点として反時計方向（図３中ｂ矢印方向）に回転するとともに、連結金具の固定部２６，２６が器具本体に穿設された取付孔２４，２４にそれぞれ挿入され、連結金具の連結金具主部２が器具本体の天面部６に当接する状態となる。この状態では、連結金具の固定部２６と連結部２７との間に器具本体の天面部６端部が圧入された状態で連結金具が器具本体に取付けられる。
【００３８】
同様にして、図４および図５に示すように、隣接する他方の器具本体を連結金具の固定部と連結部との間に圧入された状態で取付ける。
【００３９】
次に上記実施の形態に係る照明器具の連結金具の作用を説明する。
【００４０】
連結金具の両端に形成された固定部２６，２６は、器具本体に穿設した取付孔２４，２４にそれぞれ挿入され、器具本体の直線性を出している。
【００４１】
さらに、連結金具の中央に設けられた連結部２７，２７は、器具本体を連結する部分で、連結金具の固定部２６と連結部２７との間で器具本体を挟み込んで圧入されることで、導電材からなる連結金具は器具本体に固定され、また、アース接続を出している。
【００４２】
連結金具の連結部の両端には、請求項２に記載したように、外方に向けて斜め傾斜した案内傾斜縁を形成したことから、当該連結部の案内傾斜縁が器具本体の端部を挟み込むような状態を作りだし、また、連結金具を器具本体に取付時には、器具本体の端縁を支点にして、器具本体に連結金具の固定部と連結部との間に圧入しやすくしている。
【００４３】
また、連結金具の連結部根元部には、請求項３に記載したように、器具本体の端部が係合する係合凹部を設けたことから、連結金具を器具本体に挿入する際、節度感をだすとともに、取付後、取り外れにくい構造となっている。
【００４４】
上記の構成において、連結金具の両端に設けた固定部を器具本体に設けた取付孔に挿入するとともに、連結金具の中央に設けた連結部と固定部との間で圧入することにより、アース接続を有するとともに照明器具の直線性をだしている。
【００４５】
【発明の効果】
以上詳記したように請求項１の発明によれば、照明器具本体同士を連結しアース接続を得るための照明器具の連結金具は、長手方向の両端を略コ字状に折り曲げて器具本体の取付孔に挿入する固定部と、当該固定部の間に略コ字状に折り曲げた連結部とを備え、前記固定部と連結部の間に器具本体を圧入することで照明器具の直線性とアース接続を持たせ、また、省施工となっている。
【００４６】
更に、請求項１の発明によれば、器具本体への取付性が良く、取り外れ難くできる。
【００４７】
しかも、請求項１の発明によれば、連結金具を器具本体から取り外れ難くできるとともに、連結金具を器具本体に挿入する際、節度感をだして取付けることができる。
【図面の簡単な説明】
【図１】本発明の第１実施の形態に係る照明器具の連結金具を示すもので、
（Ａ）は正面図。  （Ｂ）はＡ矢視図。  （Ｃ）はＢ部拡大図。
【図２】同実施の形態に係る器具本体の端部を示すもので、
（Ａ）は上面図。  （Ｂ）は正面断面図。
【図３】同実施の形態に係る照明器具の連結金具を器具本体に形成した取付孔に取付る状態を示す正面図。
【図４】同実施の形態に係る照明器具の連結金具を器具本体に形成した取付孔に取付けた状態を示す上面図。
【図５】同実施の形態に係る照明器具の連結金具を器具本体に形成した取付孔に取付けた状態を示す正面図。
【図６】被取付面に直線状に配列された一般的な照明器具を示す斜視図。
【図７】第１の従来技術に係る照明器具の連結金具を器具本体に連結する状態を示す斜視図。
【図８】第２の従来技術に係る照明器具の連結金具を器具本体に連結する状態を示す斜視図。
【符号の説明】
２…連結金具主部，
５…器具本体，
６…天面部，
２４…取付孔，
２５…連結金具，
２６…固定部，
２７…連結部，
２８…案内傾斜縁，
２９…係合凹部。
【図１】
0003864569.tif 000002
【図２】
0003864569.tif 000003
【図３】
0003864569.tif 000004
【図４】
0003864569.tif 000005
【図５】
0003864569.tif 000006
【図６】
0003864569.tif 000007
【図７】
0003864569.tif 000008
【図８】
0003864569.tif 000009